(57)【要約】【課題】自動原稿送り装置で送り出された記録媒体の第１の面だけでなく、静止状態の記録媒体の第２の面に記録された情報を読み取ることができる記録媒体情報読取装置の提供を課題とする。【解決手段】固定されたＣＩＳヘッド４８が、原稿載置トレイ１６から送られる原稿の一方の面に形成された画像を光学的に読み取る。また、ＣＩＳヘッド５２は走査して、原稿載置トレイ１６に載置された原稿の他方の面に形成された画像を光学的に読み取る。このため、原稿載置トレイ１６上にセットした原稿の両面に形成された画像を、ＣＩＳヘッド４８とＣＩＳヘッド５２によって読み取ることができる。【選択図】図２
2008172529.tif 000002
【特許請求の範囲】
【請求項１】
記録媒体を置く置き部と、
該置き部から送り出され一定速度で移動する前記記録媒体の第１の面に記録された情報を読み取る移動媒体情報読取手段と、
前記置き部に静止した前記記録媒体の第２の面に記録された情報を読み取る静止媒体情報読取手段と、
を有することを特徴とする、記録媒体情報読取装置。
【請求項２】
前記置き部は、装置本体に対して昇降可能に構成されてなることを特徴とする、請求項１記載の記録媒体情報読取装置。
【請求項３】
前記置き部に置かれた記録媒体に面し、前記移動媒体情報読取手段で情報が読み取られた前記記録媒体を排出する排出部を有し、
前記静止媒体情報読取手段は、前記排出部の前記置き部に置かれた前記記録媒体に対向する側に設けられたことを特徴とする、請求項１又は２記載の記録媒体情報読取装置。
【請求項４】
前記静止媒体情報読取手段を設けた前記排出部は、装置本体に対して移動可能に構成されたことを特徴とする、請求項３記載の記録媒体情報読取装置。
【請求項５】
前記置き部に設けられ、記録媒体の大きさを検知する検知手段を有し、
前記静止媒体情報読取手段は、前記検知手段で検知された記録媒体の大きさに応じて前記記録媒体の情報読取範囲を決定することを特徴とする、請求項１乃至４いずれか１項記載の記録媒体情報読取装置。
【請求項６】
記録媒体を置く置き部と、
該置き部から送り出され一定速度で移動する前記記録媒体の第１の面に記録された情報を読み取る移動媒体情報読取手段と、
該移動媒体情報読取手段で情報が読み取られた前記記録媒体を排出する排出部と、
前記排出部に設けられ静止した前記記録媒体の第２の面に記録された情報を読み取る静止媒体情報読取手段と、
を有することを特徴とする、記録媒体情報読取装置。
【請求項７】
前記排出部は、装置本体に対して昇降可能に構成されてなることを特徴とする、請求項６記載の記録媒体情報読取装置。
【請求項８】
前記排出部に排出された記録媒体に面し、前記移動媒体情報読取手段で情報を読み取るために前記記録媒体を置く置き部を有し、
前記静止媒体情報読取手段は、前記置き部の前記排出部に排出された前記記録媒体に対向する側に設けられたことを特徴とする、請求項６又は７記載の記録媒体情報読取装置。
【請求項９】
前記静止媒体情報読取手段を設けた前記置き部は、装置本体に対して移動可能に構成されたことを特徴とする、請求項８記載の記録媒体情報読取装置。
【請求項１０】
請求項１乃至９いずれか１項記載の記録媒体情報読取装置を有し、
前記静止媒体情報読取手段は、製本された記録媒体束を見開きの状態で読み取り可能に構成されてなることを特徴とする、画像読取装置。
【請求項１１】
請求項１乃至９いずれか１項記載の記録媒体情報読取装置を有し、該記録媒体情報読取装置で読み取った記録媒体情報に基いて画像形成を行なう、画像形成装置。
【発明の詳細な説明】
【技術分野】
【０００１】
本発明は、記録媒体情報読取装置、画像読取装置、及び画像形成装置に関する。
【背景技術】
【０００２】
通常の記録媒体情報読取装置の一例としての原稿読取装置では、プラテンガラスの下に読取部が配置されている。
【０００３】
プラテンガラスに対して開閉可能とされた開閉部材に読取部を設けることで、原稿面を上向きにしてセットしたブック原稿の画像が読み取れる原稿読取装置が提案されている（特許文献１参照）。
【特許文献１】特開２００３−１２７４３６号公報
【発明の開示】
【発明が解決しようとする課題】
【０００４】
本発明は、自動原稿送り装置で送り出された記録媒体の第１の面だけでなく、静止状態の記録媒体の第２の面に記録された情報を読み取ることができる記録媒体情報読取装置の提供を課題とする。
【課題を解決するための手段】
【０００５】
請求項１に記載の記録媒体情報読取装置は、記録媒体を置く置き部と、該置き部から送り出され一定速度で移動する前記記録媒体の第１の面に記録された情報を読み取る移動媒体情報読取手段と、前記置き部に静止した前記記録媒体の第２の面に記録された情報を読み取る静止媒体情報読取手段と、を有することを特徴とする。
【０００６】
請求項２に記載の記録媒体情報読取装置は、請求項１に記載のものにおいて、前記置き部が装置本体に対して昇降可能に構成されてなることを特徴とするものである。
【０００７】
請求項３に記載の発明は、請求項１又は２に記載の記録媒体情報読取装置において、前記置き部に置かれた記録媒体に面し、前記移動媒体情報読取手段で情報が読み取られた前記記録媒体を排出する排出部を有し、前記静止媒体情報読取手段は、前記排出部の前記置き部に置かれた前記記録媒体に対向する側に設けられたことを特徴とするものである。
【０００８】
請求項４に記載の発明は、請求項３に記載の記録媒体情報読取装置において、前記静止媒体情報読取手段を設けた前記排出部が、装置本体に対して移動可能に構成されたことを特徴とするものである。
【０００９】
請求項５に記載の発明は、請求項１乃至４いずれか１項記載の記録媒体情報読取装置において、前記置き部に設けられ、記録媒体の大きさを検知する検知手段を有し、前記静止媒体情報読取手段は、前記検知手段で検知された記録媒体の大きさに応じて前記記録媒体の情報読取範囲を決定することを特徴とするものである。
【００１０】
請求項６に記載の静止媒体情報読取装置は、記録媒体を置く置き部と、該置き部から送り出され一定速度で移動する前記記録媒体の第１の面に記録された情報を読み取る移動媒体情報読取手段と、該移動媒体情報読取手段で情報が読み取られた前記記録媒体を排出する排出部と、前記排出部に設けられ静止した前記記録媒体の第２の面に記録された情報を読み取る静止媒体情報読取手段とを有することを特徴とするものである。
【００１１】
請求項７に記載の発明は、請求項６に記載の記録媒体情報読取装置において、前記排出部が装置本体に対して昇降可能に構成されてなることを特徴とするものである。
【００１２】
請求項８に記載の発明は、請求項６又は７に記載の静止媒体情報読取装置において、前記排出部に排出された記録媒体に面し、前記移動媒体情報読取手段で情報を読み取るために前記記録媒体を置く置き部を有し、前記静止媒体情報読取手段は、前記置き部の前記排出部に排出された前記記録媒体に対向する側に設けられたことを特徴とするものである。
【００１３】
請求項９に記載の発明は、請求項８に記載の記録媒体情報読取装置において、前記静止媒体情報読取手段を設けた前記置き部が、装置本体に対して移動可能に構成されたことを特徴とするものである。
【００１４】
請求項１０に記載の発明は、請求項１乃至９いずれか１項記載の記録媒体情報読取装置を有し、前記静止媒体情報読取手段は、製本された用紙束を見開きの状態で読み取り可能に構成されてなることを特徴とする、画像読取装置である。
【００１５】
請求項１１に記載の発明は、請求項１乃至９いずれか１項記載の記録媒体情報読取装置を有し、該記録媒体情報読取装置で読み取った記録媒体情報に基いて画像形成を行なう、画像形成装置である。
【発明の効果】
【００１６】
請求項１に記載の発明によれば、記録媒体の両面に記録された情報を読み取ることが出来ると同時に、静止媒体情報読取手段によって、一定速度で移動させながら情報を読み取るのに適さない記録媒体の情報を読み取ることが出来る。
【００１７】
請求項２に記載の発明によれば、静止媒体情報読取装置に対する記録媒体の位置を調整することが出来る。
【００１８】
請求項３に記載の発明によれば、排出部と静止媒体情報読取手段を一体化し、本発明の構成を有しない場合に比べて、装置を小型化することが出来る。
【００１９】
請求項４に記載の発明によれば、本発明の構成を有しない場合に比べて、記録媒体を置き部に容易に置くことが出来る。
【００２０】
請求項５に記載の発明によれば、移動媒体情報読取手段と静止媒体情報読取手段とで記録媒体の大きさを検知する検知手段を共有することが出来る。
【００２１】
請求項６に記載の発明によれば、記録媒体の両面に記録された情報を読み取ることが出来ると同時に、静止媒体情報読取手段によって、一定速度で移動させながら情報を読み取るのに適さない記録媒体の情報を読み取ることが出来る。
【００２２】
請求項７に記載の発明によれば、静止媒体情報読取装置に対する記録媒体の位置を調整することが出来る。
【００２３】
請求項８に記載の発明によれば、置き部と静止媒体情報読取手段を一体化し、本発明の構成を有しない場合に比べて、装置を小型化することが出来る。
【００２４】
請求項９に記載の発明によれば、本発明の構成を有しない場合に比べて、記録媒体を排出部から容易に取り除くことが出来る。
【００２５】
請求項１０に記載の発明によれば、静止媒体情報読取手段によって、本を上向きに開いた状態で読み取ることができる。
【００２６】
請求項１１に記載の発明によれば、記録媒体の両面に記録された情報に基いた画像が得られると同時に、静止媒体情報読取手段によって、一定速度で移動させながら情報を読み取るのに適さない記録媒体の情報に基いた画像を得ることが出来る画像形成装置を提供することが出来る。
【発明を実施するための最良の形態】
【００２７】
本発明の第１の実施形態に係る記録媒体情報読取装置（画像読取装置）を有する画像形成装置１０について説明する。なお、本文中では、「上流側」としたときは、記録媒体である原稿の送り込み方向を表し、「下流側」としたときは原稿の送り出し方向を表す。
【００２８】
図１及び図２に示すように、画像形成装置１０には、原稿載置面１２が形成されている。この原稿載置面１２上には、カセット１４が原稿搬送方向に対してスライド可能に設けられている。
【００２９】
カセット１４は略矩形箱状とされており、記録媒体情報読取装置を構成する置き部としての原稿載置トレイ１６が収容されている。原稿載置トレイ１６の上流側端部の幅方向両端面には、ピン１９（図３参照）が突設されており、カセット１４の側壁１４Ｂの上下方向に沿って形成された長孔２３に、回動可能且つ上下方向（長孔２３の長手方向）に沿って移動可能に係合されている。
【００３０】
また、カセット１４内の下流側端部及び上流側端部には、それぞれ原稿載置トレイ１６を装置本体に対して昇降可能に構成するための昇降装置２００、２０２が設けられている。
【００３１】
図３に示すように、カセット１４の下流側に設けられた昇降装置２００は、カセット１４（図２参照）の側壁１４Ｂに回転可能に支持されたシャフト２０４を有している。シャフト２０４の一方の端部には、ギア２０６が取り付けられている。ギア２０６には、モータ２０８の軸２０８Ａに取り付けられたギア２１０が噛合しており、モータ２０８が駆動すると、ギア２１０、２０６を介して、シャフト２０４が回動するようになっている。
【００３２】
シャフト２０４には、所定の間隔で２枚の支持板２１４の一端が取り付けられている。支持板２１４の他端には、ロール２１８の両端が支持されており、シャフト２０４の回動によって支持板２１４が一端を中心に回動すると、ロール２１８が昇降するようになっている。
【００３３】
このロール２１８は、原稿載置トレイ１６の裏面の下流側を支持しており、モータ２０８の駆動によってロール２１８が昇降すると、原稿載置トレイ１６の下流側端部が昇降する構成となっている。
【００３４】
また、モータ２０８の回転軸２０８Ａには、トルクリミッタ２１２が設けられている。これにより、回転軸２０８Ａの回転トルクが所定値（制限値）より大きくなると、回転軸２０８Ａとトルクリミッタ２１２の間で滑りが生じて、モータ２０８の回転駆動力の伝達が制限されるようになっている。
【００３５】
つまり、原稿載置トレイ１６が上昇して、原稿載置トレイ１６にセットされた原稿が、原稿載置トレイ１６の上方に設けられた後述する原稿排出トレイ３６に設けられたカバー５１及び透明ガラス５０（図２参照）にぶつかると、トルクリミッタ２１２が作動して、モータ２０８の駆動力がギア２１０に伝達されないようになっている。したがって、原稿載置トレイ１６の上昇が、所定の位置（原稿が適当な圧力で原稿載置トレイ１６と原稿排出トレイ３６の間に挟まれる位置）で停止されるようになっている。
【００３６】
また、カセット１４の上流側に設けられた昇降装置２０２は、下流側の昇降装置２００と同じ構成となっており、カセット１４（図２参照）の側壁１４Ｂに回転可能に支持されたシャフト２２０を有している。シャフト２２０の一方の端部には、ギア２２２が取り付けられている。ギア２２２には、モータ２２４の軸２２４Ａに取り付けられたギア２２６が噛合しており、モータ２２４が駆動すると、ギア２２６、２２２を介して、シャフト２２０が回動するようになっている。
【００３７】
シャフト２２０には、所定の間隔で２枚の支持板２３０の一端が取り付けられている。支持板２３０の他端には、ロール２３４の両端が支持されており、シャフト２２０の回動によって支持板２３０が一端を中心に回動すると、ロール２３４が昇降するようになっている。
【００３８】
このロール２３４は、原稿載置トレイ１６の裏面の上流側を支持している。このような構成により、モータ２２４の駆動によってロール２３４が昇降すると、原稿載置トレイ１６の上流側端部が昇降する構成となっている。このとき、原稿載置トレイ１６の上流側端部に設けられたピン１９が、カセット１４の側壁１４Ｂに形成された長孔２３に沿って移動するので、原稿載置トレイ１６の上流側端部は、垂直方向に移動する
また、モータ２２４の回転軸２２４Ａには、トルクリミッタ２２８が設けられている。これにより、回転軸２２４Ａの回転トルクが所定値（制限値）より大きくなると、回転軸２２４Ａとトルクリミッタ２２８の間で滑りが生じて、モータ２２４の回転駆動力の伝達が制限されるようになっている。
【００３９】
図４（Ａ）に示すように、原稿載置トレイ１６上に原稿が載置されていない状態（初期状態）では、昇降装置２００のロール２１８をカセット１４の底部１４Ａ近傍に位置させ、昇降装置２０２のロール２３４をカセット１４の底部１４Ａから深さ方向の略中央に位置させている。これにより、原稿載置トレイ１６は上流側に向かって上り傾斜の状態で、カセット１４内に収容されている。
【００４０】
図４（Ｂ）に示すように、下流側の昇降装置２００のみを駆動させると、原稿載置トレイ１６は上流側端部を中心として、下流側端部が上昇する。そして、原稿載置トレイ１６が水平状態となったタイミングで、下流側の昇降装置２００と共に上流側の昇降装置２０２も駆動させると、図４（Ｃ）に示すように、原稿載置トレイ１６は、水平状態を保ちながら、上昇する構成となっている。
【００４１】
一方、図５及び図６には、カセット１４に収容された原稿載置トレイ１６が図示されている。
【００４２】
原稿載置トレイ１６の幅方向の両側には、矩形状の開口３０が形成されている。この開口３０の側壁３０Ａには、奥方向に溝３２が形成されている。溝３２には、サイドガイド２０のスライド片２１から突設された凸部２９がスライド可能に係合している。
【００４３】
スライド片２１の両端部には、支持片３１が突設されている。支持片３１には、断面形状がＬ字状とされた押さえ片２５の突き当て部２５Ａが、ピン２４を介して回動可能に連結されている。
【００４４】
押さえ片２５は、ピン２４に巻き回されたスプリング２７によって、原稿載置トレイ１６側へ付勢されている。また、スライド片２１に設けられた図示しないストッパーに押さえ片２５が当たり、スライド片２１と押さえ片２５が直線状に位置している。
【００４５】
上記構成のサイドガイド２０を、原稿載置トレイ１６にセットされた原稿の端部に当接するように、スライドさせることで、原稿の幅方向の両端部はサイドガイド２０によって挟み込まれて、位置決めされるようになっている。
【００４６】
また、図７（Ｂ）に示すように、後述する排出部である原稿排出トレイ３６に設けられたカバー５１が押さえ片２５に当接すると、ストッパーは機能せず（押さえ片２５がストッパーに当たらない）、押さえ片２５はピン２４を中心に回動して下側に傾倒する構成となっている。
【００４７】
また、図５及び図６に示すように、開口３０の奥には、複数のサイドガイドセンサ２２が取り付けられたガイド載置板１８が、サイドガイド２０が乗り上げる位置に設けられている。サイドガイドセンサ２２は、赤外線発光部（ＬＥＤ）と受光素子を有し、赤外線発光部から発光された赤外光がサイドガイド２０で反射され、反射光が受光素子で受光されることで、サイドガイド２０が有りと検知される。このサイドガイドセンサ２２が、幅方向に沿って複数設けられており、赤外線発光部から発光された赤外光が受光された部分のサイドガイドセンサ２２から、サイドガイド２０の位置が検出されるようになっている。
【００４８】
また、図５に示すように、原稿載置トレイ１６の上流側近傍には、後端センサ２６が設けられている。後端センサ２６は、原稿搬送方向に沿って複数設けられており、原稿載置トレイ１６にセットされた原稿の後端（上流側端部）位置を検出する。
【００４９】
さらに、原稿載置トレイ１６の下流側端部には、先端センサ２８が設けられている。先端センサ２８によって原稿の先端（下流側端部）が検出されると、画像形成装置１０本体（図２参照）に設けられた機械制御基板１５へ信号が送られて、原稿載置トレイ１６に原稿がセットされたことが検知されるようになっている。
【００５０】
先端センサ２８によって、原稿載置トレイ１６にセットされたことが検知されると、サイドガイドセンサ２２によってサイドガイド２０の位置が検出され、後端センサ２６によって原稿の後端位置が検出されて、機械制御基板１５へ信号が送られる。これにより、原稿載置トレイ１６にセットされた原稿のサイズが検知されるようになっている。
【００５１】
一方、図２に示すように、原稿載置面１２から立設する壁部３８には、装填口４０が形成されている。この装填口４０には、カセット１４が装填或いは引き出せるようになっている。
【００５２】
装填口４０内には、ストッパー３３が設けられており、カセット１４を装填したとき、このストッパー３３にカセット１４が当接して、カセット１４にセットされた原稿の画像を、後述するＣＩＳヘッド４８で読み取る場合の、カセット１４の位置決めがされる。
【００５３】
また、原稿載置面１２の上流側端部には、ストッパー３５が設けられており、カセット１４を装填口４０から引き出したとき、このストッパー３５にカセット１４が当接して、カセット１４にセットされた原稿の画像を、後述するＣＩＳヘッド５２で読み取る場合の、カセット１４の位置決めがされる。
【００５４】
装填口４０内には、原稿載置トレイ１６にセットされた原稿の最上部に接触して、この最上部の原稿を送り出す（給紙する）原稿給紙ロール４２が設けられている。また、原稿給紙ロール４２の搬送方向下流側には、フィードロール４３が配設されている。原稿給紙ロール４２及びフィードロール４３は、共に図示しない駆動モータから駆動力が伝達されて回転するようになっている。
【００５５】
フィードロール４３の下側には、分離ロール４５が配置されている。分離ロール４５は、図示しない駆動モータの駆動によって、フィードロール４３の回転方向と逆方向に回転するようになっている。これにより、フィードロール４３と分離ロール４５のニップ部に原稿が重送されて送り込まれると、分離ロール４５はフィードロール４３の回転方向と逆方向に回転して、フィードロール４３に当接した以外のシートＰを、カセット１４（原稿載置トレイ１６）に押し戻すようになっている。
【００５６】
また、フィードロール４３と分離ロール４５の下流側には、複数の搬送ロール４６が搬送路４４に沿って設けられている。搬送路４４は、略Ｕ字状とされており、この搬送路４４に送り込まれた原稿は、搬送ロール４６によって搬送されて、後述する原稿排出トレイ３６へ送り込まれるようになっている。
【００５７】
搬送路４４の下方には、移動原稿を読み取る移動媒体情報読取装置としてのＣＩＳヘッド４８が設けられている。ＣＩＳヘッド４８は、ＣＩＳ（Ｃｏｎｔａｃｔ  Ｉｍａｇｅ  Ｓｅｎｓｏｒ：密着型画像読取センサ）方式で原稿の画像を読み取るものであり、原稿の幅とほぼ同じサイズもしくは、原稿の幅よりも若干大きいサイズとされている。
【００５８】
また、ＣＩＳヘッド４８は、図示しない露光部と検出部とを有して構成され、ＣＩＳヘッド４８の上方を通過する原稿の下方から、露光部で光を照射して、原稿で反射された光を検出部で検出することで、原稿に形成された画像を読み取る構成になっている。つまり、ＣＩＳヘッド４８は光が出射される面を上向きにした状態で設けられており、原稿は原稿面を下向きにした状態で、ＣＩＳヘッド４８の上方を搬送されながら、画像が読み取られるようになっている。そして、ＣＩＳヘッド４８で読み取られた原稿の画像データは、画像形成装置１０本体に設けられた画像制御基板１７に送られて、所定の画像処理が施される。
【００５９】
一方、カセット１４の上方には、搬送路４４を搬送された原稿が排出される原稿排出トレイ３６が設けられている。原稿排出トレイ３６は、原稿排出方向の上流側端部が、壁部３８に回転移動可能に支持されており、下流側端部がカセット１４に対して開閉可能とされている。つまり、原稿排出トレイ３６は、カセット１４（原稿載置トレイ１６）に載置される原稿をカバーする役目も兼用しており、カセット１４に対して開閉可能な構成となっている。
【００６０】
原稿排出トレイ３６の下面（原稿が排出される側と反対側の面）には、箱状のカバー５１が取り付けられており、カバー５１内には静止媒体情報読取装置としてのＣＩＳヘッド５２が配設されている。
【００６１】
図８に示すように、ＣＩＳヘッド５２は、原稿の幅とほぼ同じサイズもしくは、原稿の幅よりも若干大きいサイズとされ、長手方向の両端面に突出された凸部５５が、カバー５１の側壁５１Ａに形成された溝５３に、スライド可能に係合されている。
【００６２】
ＣＩＳヘッド５２は、移動機構２４４によって、原稿搬送方向に沿って移動されるようになっている。移動機構２４４は、ＣＩＳヘッド５２の底面が取り付けられたタイミングベルト２４６を有している。タイミングベルト２４６は、原稿搬送方向に沿って設けられた２つのプーリー２４８、２５０に噛合されている。
【００６３】
プーリー２４８には、モータ２５２の軸２５２Ａが連結されており、モータ２５２の回転駆動によってプーリー２４８が回転すると、タイミングベルト２４６が回転移動して、プーリー２５０が従動回転するようになっている。
【００６４】
このような構成により、モータ２５２の回転駆動によって、タイミングベルト２４６が回転移動すると、ＣＩＳヘッド５２は原稿搬送方向に沿って移動されるようになっている。
【００６５】
図２に示すように、カバー５１の底面５１Ｂには、開口部５７が形成されている。開口部５７には、透明ガラス５０が取り付けられており、カバー５１内に塵や埃が入り込まないようにされている。
【００６６】
また、画像形成装置１０本体には、ストッパー１３が設けられている。原稿排出トレイ３６を閉じたとき、ストッパー１３に原稿排出トレイ３６が当接すると、ＣＩＳヘッド５２の光の出射面が水平になった状態で、原稿排出トレイ３６がカセット１４に対して閉じられる。
【００６７】
このような構成により、原稿排出トレイ３６を閉じると、原稿載置トレイ１６に原稿面を上向きにしてセットされた原稿の上方にＣＩＳヘッド５２が位置される。この状態で、ＣＩＳヘッド５２が原稿排出方向に沿って走査（移動）して、原稿の画像が読み取られる。そして、ＣＩＳヘッド５２で読み取られた画像データは、画像制御基板１７に送られて所定の画像処理が施される。
【００６８】
次に、記録媒体情報読取装置の動作について説明する。
【００６９】
まず、シート状の原稿Ｐ１を読み取る場合について説明する。
【００７０】
図９（Ａ）に示すように、カセット１４を装填口４０内に装填する。これにより、記録媒体情報読取装置はシート原稿読取モードとなる。このとき、原稿載置トレイ１６は上流側に向かって上り傾斜となるように、カセット１４に収容されている。
【００７１】
そして、シート状の原稿Ｐ１を、原稿面を下向きにし、先端部（下流側端部）をカセット１４の側壁１４Ｂに当接させるようにして、原稿載置トレイ１６にセットする。このとき、原稿載置トレイ１６の下流側端部に設けられた先端センサ２８によって原稿Ｐ１が検出され、原稿載置トレイ１６に原稿Ｐ１がセットされたことが検知される。
【００７２】
そして、サイドガイド２０をスライドさせて、原稿Ｐ１の幅方向の端部に当接させる。このとき、サイドガイドセンサ２２及び後端センサ２６によって、原稿Ｐ１のサイズが検知される。
【００７３】
原稿Ｐ１のサイズが検知されると、図９（Ｂ）に示すように、機械制御基板１５からの信号によって昇降装置２００が駆動され、原稿載置トレイ１６の下流側端部が上昇する。
【００７４】
そして、原稿Ｐ１の先端（下流側端部）が原稿給紙ロール４２に当接すると、原稿載置トレイ１６に掛かる負荷が所定値よりも大きくなり、トルクリミッタ２１２（図３参照）が作動する。これにより、モータ２０８の駆動力がギア２１０に伝達されなくなり、昇降装置２００の駆動が停止されて、原稿載置トレイ１６の下流側端部の上昇がストップする。そして、画像形成装置１０に設けられた操作画面５４（図１参照）に、原稿読取可能と表示される。
【００７５】
操作画面５４に表示された原稿読取可能の指示に従って、ユーザーが画像形成装置１０に設けられたスタートボタンを押す。これにより、原稿載置トレイ１６にセットされた原稿Ｐ１が、原稿給紙ロール４２によって一枚ずつ繰り出され、搬送路４４に送り込まれる。そして、原稿面を下向きにした状態で、ＣＩＳヘッド４８の上方に搬送されて、ＣＩＳヘッド４８で原稿の画像が読み取られる。
【００７６】
原稿Ｐ１は、ＣＩＳヘッド４８で画像が読み取られた後、搬送路４４を搬送されて、原稿面を上向きにした状態で、原稿排出トレイ３６上に排出される。
【００７７】
次に、ブック状の原稿Ｐ２を読み取る場合について説明する。
【００７８】
図１０（Ａ）に示すように、カセット１４を装填口４０から引き出す。これにより、記録媒体情報読取装置はブック原稿読取モードとなる。このとき、原稿載置トレイ１６は上流側に向かって上り傾斜となるように、カセット１４に収容されている。
【００７９】
そして、図１０（Ｂ）に示すように、原稿載置トレイ１６にブック状の原稿Ｐ２（以下、「ブックＰ２」とする）を、下流側端部をカセット１４の側壁１４Ｂに当接させるようにして、原稿面を上向きにセットする。
【００８０】
このとき、原稿載置トレイ１６の下流側端部に設けられた先端センサ２８によってブックＰ２が検出され、原稿載置トレイ１６にブックＰ２がセットされたことが検知される。
【００８１】
そして、サイドガイド２０をスライドさせて、ブックＰ２の幅方向の端部に当接させる。このとき、サイドガイドセンサ２２及び後端センサ２６によって、ブックＰ２のサイズが検知される。
【００８２】
そして、図１１（Ａ）に示すように、原稿排出トレイ３６を閉じて、ＣＩＳヘッド５２の光が出射される面を水平にする。
【００８３】
原稿排出トレイ３６が閉じられると、機械制御基板１５からの信号によって昇降装置２００が駆動され、原稿載置トレイ１６が水平となるまで原稿載置トレイ１６の下流側端部が上昇する。なお、昇降装置２００のみを駆動させて、原稿載置トレイ１６が水平になったときの原稿載置トレイ１６の位置を、初期の水平位置とする。
【００８４】
原稿載置トレイ１６が水平となると、図１１（Ｂ）に示すように、機械制御基板１５からの信号によって、昇降装置２００、２０２が駆動され、原稿載置トレイ１６は水平の姿勢を保ったまま上昇する。
【００８５】
原稿載置トレイ１６の上昇に伴って、原稿載置トレイ１６にセットされたブックＰ２が上昇され、原稿排出トレイ３６の透明ガラス５０に所定の圧力で押し付けられる。
【００８６】
このとき、原稿載置トレイ１６に掛かる負荷が所定値よりも大きくなり、トルクリミッタ２１２、２２８（図３参照）が作動する。これにより、モータ２０８、２２４の駆動力がギア２１０、２２６に伝達されなくなり、昇降装置２００、２０２の駆動が停止されて、原稿載置トレイ１６の上昇がストップする。したがって、原稿載置トレイ１６のブックＰ２は、透明ガラス５０との間で、所定値以上の力で挟まれない。
【００８７】
また、このとき、図７（Ｂ）に示すように、原稿載置トレイ１６の幅方向の両端に設けられたサイドガイド２０は、押さえ片２５の先端部が透明ガラス５０に当接して、スプリング２７の付勢力と反対方向に傾倒するので、サイドガイド２０によって原稿載置トレイ１６の上昇が阻止されることはない。
【００８８】
原稿載置トレイ１６の上昇が停止すると、画像形成装置１０に設けられた操作画面５４（図１参照）に、原稿読取可能と表示される。
【００８９】
操作画面５４に表示された原稿読取可能の指示に従って、ユーザーが画像形成装置１０に設けられたスタートボタンを押す。これにより、ＣＩＳヘッド５２が原稿搬送方向に沿って走査（移動）して、原稿載置トレイ１６にセットされたブックＰ２の画像が読み取られる。
【００９０】
ＣＩＳヘッド５２によるブックＰ２の画像の読み取りが終了すると、操作画面５４に原稿読取可能と表示される。このとき、昇降装置２００、２０２が駆動して、図１２（Ａ）に示すように、原稿載置トレイ１６が初期の水平位置まで下降する。
【００９１】
そして、原稿排出トレイ３６を開放し、ブックＰ２のページをめくり、図１２（Ｂ）に示すように、原稿排出トレイ３６を閉じると、昇降装置２００、２０２が駆動して、原稿載置トレイ１６が水平の姿勢で上昇する。
【００９２】
原稿載置トレイ１６の上昇が停止すると、操作画面５４（図１参照）に原稿読取可能と表示され、再び原稿読取操作を行うことが可能となる。
【００９３】
このように、原稿面を上向きにしてブックＰ２を原稿載置トレイ１６にセットできるので、ブックＰ２に記録された画像を何ページも読み取るとき、原稿載置トレイ１６にブックＰ２をセットしたままの状態でページだけをめくればよい。つまり、次のページを読み取る度に、原稿載置トレイ１６からブックＰ２を持ち上げてページをめくる必要がない。
【００９４】
また、シート状の原稿Ｐ１の画像は、固定された状態にあるＣＩＳヘッド４８で読み取られるので、ＣＩＳヘッド５２を反転させる必要がない。このため、原稿の読み取り精度が不安定になったり、装置の構成が複雑とならない。
【００９５】
さらに、ＣＩＳヘッド５２は、原稿Ｐ１又はブックＰ２の上方から光を照射して、画像を読み取る構成となっているため、原稿Ｐ１又はブックＰ２の画像読取時に、ユーザーの視野に光源が入らない。また、光が出射される面が下向きとなるようにＣＩＳヘッド５２が設置されているため、光源にゴミが入りにくい。
【００９６】
また、原稿排出トレイ３６にＣＩＳヘッド５２を設けることで、これらを一体化していない場合と比較して、画像形成装置１０を小型化することができる。
【００９７】
さらに、原稿排出トレイ３６を、カセット１４（画像形成装置１０本体）に対して開閉可能（移動可能）としていることで、原稿載置トレイ１６に原稿をセットする際に原稿排出トレイ３６を開放すれば、原稿排出トレイ３６上に容易に原稿を置くことができる。
【００９８】
なお、本実施形態では、記録媒体情報読取装置がブック原稿読取モード時において、原稿載置トレイ１６にセットする原稿は、ブック状の原稿として説明したが、図１３に示すように、原稿載置トレイ１６にシート状の原稿Ｐ３をセットしてもよい。このとき、シート状の原稿Ｐ３は、原稿面を上向きにした状態で原稿載置トレイ１６にセットされるので、複数のシート状の原稿Ｐ３を原稿載置トレイ１６に並べたときに、画像の位置の確認が容易に行える。このため、読み取り間違いが少なくなる。
【００９９】
また、本実施形態では、カセット１４が装填口４０内に装填されると、記録媒体情報読取装置がシート原稿読取モードとなり、原稿載置トレイ１６上に原稿面を下向きにしてセットされたシート状の原稿の画像を、ＣＩＳヘッド４８で読み取り、カセット１４が装填口４０から引き出されると、記録媒体情報読取装置がブック原稿読取モードとなって、原稿載置トレイ１６上に原稿面を上向きにしたブック状の原稿の画像を、ＣＩＳヘッド５２で読み取る構成としているが、両面に画像が記録されたシート状の原稿を原稿載置トレイ１６上にセットして、この原稿の両面に記録された画像を、それぞれＣＩＳヘッド４２とＣＩＳヘッド５２で読み取ることもできる。
【０１００】
たとえば、原稿載置トレイ１６上にセットされたシート状原稿の一方の面（下面）に記録された画像を読み取るときは、カセット１４を装填口４０内に装填した状態とする。これにより、原稿はＣＩＳヘッド４８の上方に搬送され、ＣＩＳヘッド４８で一方の面に記録された画像が読み取られる。また、原稿の他方の面（上面）に記録された画像を読み取るときは、カセット１４を装填口４０から引き出した状態とする。これにより、ＣＩＳヘッド５２で他方の面に記録された画像が読み取られる。
【０１０１】
また、一定速度で搬送（移動）しながら画像を読み取るのに適さない原稿の場合、カセット１４を装填口４０から引き出した状態で、原稿面を上向きにして原稿載置トレイ１６上に原稿をセットすれば、ＣＩＳヘッド５２で原稿に記録された画像を読み取ることができる。
次に、本発明の第２の実施形態に係る記録媒体情報読取装置について説明する。なお、第１の実施形態と同様の部分についての説明は割愛する。
【０１０２】
図１４に示すように、記録媒体情報読取装置が搭載される画像形成装置６０には、原稿載置面６２が形成されている。原稿載置面６２は、原稿搬送方向の上流側から下流側に向かって下り傾斜とされており、この原稿載置面６２には、記録媒体情報読取装置を構成する置き部としての原稿載置トレイ６４が上流側端部を画像形成装置６０本体に回動可能に支持されて、下流側端部が原稿載置面６２に対して接離可能とされた状態で設けられている。
【０１０３】
原稿載置面６２と原稿載置トレイ６４の間には、図示は省略するが第１実施形態と同様にして、昇降装置が設けられている。
【０１０４】
一方、原稿載置面６２の下流側には、壁部６６が立設されており、この壁部６６上の上流側には、分離ロール６７が設けられ、分離ロール６７の下流側には、複数の搬送ロール６８が設けられている。また、壁部６６内には、記録媒体情報読取装置としてのＣＩＳヘッド７０が光が出射される面を上向きにした状態で設けられている。
【０１０５】
壁部６６の上方には、搬送ロール６８及びＣＩＳヘッド７０を覆うようにして、カバー７２が設けられている。カバー７２は、下流側端部が画像形成装置６０本体に回動可能に支持されており、原稿載置面６２（壁部６６）に対して開閉可能とされている。
【０１０６】
カバー７２は、略コ字状とされた搬送路カバー７４と、搬送路カバー７４の一方の端部から延設され、カバー７２を閉じたときに原稿載置面６２側を覆う平板状の排出トレイ７６とで構成されている。
【０１０７】
搬送路カバー７４の内側（壁部６６に対向する面側）には、複数の搬送ロール７８が設けられており、カバー７２を閉じたとき、壁部６６に設けられた複数の搬送ロール６８と、カバー７２の内側に設けられた複数の搬送ロール７８とで、略Ｕ字状の搬送路８０が形成される。
【０１０８】
また、排出トレイ７６の内側（壁部６６及び原稿載置面６２に対向する側）には、原稿給紙ロール８２が設けられており、原稿給紙ロール８２の下流側には、フィードロール６９が設けられている。
【０１０９】
カバー７２を閉じたとき、原稿給紙ロール８２は原稿載置面６２の上方に位置され、フィードロール６９は分離ロール６７の上方に位置される。これにより、原稿載置面６２上の原稿載置トレイ６４にセットされた原稿が、原稿給紙ロール８２によって一枚ずつ繰り出され、フィードロール６９と分離ロール６７のニップ部に原稿が重送されて送り込まれると、分離ロール６７はフィードロール６９の回転方向と逆方向に回転して、フィードロール６９に当接した以外の原稿を、原稿載置トレイ６４に押し戻すようになっている。このとき、フィードロール６９に当接した原稿は、搬送路８０に送り込まれる。
【０１１０】
搬送路カバー７４の排出トレイ７６との連結部近傍には、開口部８４が形成されている。搬送路８０を搬送される原稿は、開口部８４近傍の搬送ロール７８によって、開口部８４から排出トレイ７６の表面（原稿給紙ロール８２が設けられた側と反対側の面）に排出されるようになっている。
【０１１１】
一方、原稿載置面６２の上方には、記録媒体情報読取装置としての読取装置８６が設けられている。読取装置８６は、原稿載置面６２上の原稿載置トレイ６４にセットされた原稿に、透明ガラス８５を介して光を照射する光源８８を有しており、原稿からの反射光像を、フルレートミラー９０及びハーフレートミラー９２、９４及び結像レンズ９６からなる縮小光学系を介してＣＣＤ等からなる画像読取素子９８上に走査露光して、画像読取素子９８によって原稿の反射光を読み取る構成とされている。
【０１１２】
この読取装置８６は、図の奥側が画像形成装置６０本体に回動可能に支持されており、原稿載置トレイ６４に原稿をセットする際には、読取装置８６は開放されるようになっている。
【０１１３】
次に、上記構成の記録媒体情報読取装置の動作について説明する。
【０１１４】
まず、シート状の原稿Ｐ１を読み取る場合について説明する。
【０１１５】
図１５（Ａ）に示すように、カバー７２と読取装置８６を開放させた状態で、原稿載置トレイ６４に原稿面を下向きにして原稿Ｐ１をセットする。このとき、原稿載置トレイ６４の下流側端部に設けられた先端センサ５９によって原稿Ｐ１が検出され、原稿載置トレイ６４に原稿Ｐ１がセットされたことが検知される。
【０１１６】
そして、サイドガイド６３をスライドさせて、原稿Ｐ１の幅方向の端部に当接させる。このとき、サイドガイドセンサ（図示省略）及び後端センサ６５によって、原稿Ｐ１のサイズが検知される。
【０１１７】
そして、図１５（Ｂ）に示すように、カバー７２と読取装置８６を閉じる。カバー７２を閉じることによって、記録媒体情報読取装置はシート原稿読取モードとなる。このとき、カバー７２に設けられた原稿給紙ロール８２が、原稿Ｐ１の先端上に位置される。
【０１１８】
カバー７２が閉じられると、機械制御基板１５（図２参照）からの信号によって昇降装置が駆動され、原稿載置トレイ６４の下流側端部が上昇して、原稿Ｐ１の先端（下流側端部）が原稿給紙ロール４２に当接する。
【０１１９】
原稿給紙ロール４２に原稿Ｐ１が当接すると、原稿載置トレイ６４の下流側端部の上昇がストップし、操作画面５４（図１参照）に、原稿読取可能と表示される。
【０１２０】
操作画面５４に表示された原稿読取可能の指示に従って、ユーザーが画像形成装置６０に設けられたスタートボタンを押す。これにより、原稿給紙ロール８２によって原稿載置トレイ６４にセットされた原稿Ｐ１が一枚ずつ繰り出され、搬送路８０に送り込まれる。
【０１２１】
そして、原稿Ｐ１は原稿面を下向きにした状態でＣＩＳヘッド７０の下方に搬送されて画像が読み取られ、カバー７２の排出トレイ７６に排出される。
【０１２２】
次に、ブック状の原稿Ｐ２を読み取る場合について説明する。
【０１２３】
図１６（Ａ）に示すように、カバー７２と読取装置８６を開放させた状態で、原稿載置トレイ６４にブック状の原稿Ｐ２を原稿面を上向きにしてセットする。
【０１２４】
そして、図１６（Ｂ）に示すように、カバー７２は開放したままの状態にし、読取装置８６を閉じる。カバー７２が開放されていることによって、記録媒体情報読取装置はブック原稿読取モードとなる。
【０１２５】
読取装置８６が閉じられると、機械制御基板１５（図２参照）からの信号によって昇降装置が駆動され、原稿載置トレイ６４が水平となり、原稿載置トレイ６４にセットされたブックＰ２は、所定の圧力で原稿載置トレイ６４と透明ガラス８５の間に挟まれて、読取装置８６によって画像が読み取られる。
【０１２６】
このように、原稿載置面６２から原稿載置トレイ６４を引き出さずに、カバー７２の開閉によってシート原稿読取モードとブック原稿読取モードを切り替えることができる。
【０１２７】
ところで、従来の画像形成装置では、プラテンガラスの下に読取部が設けられて、プラテンガラス上に原稿面を下に向けた状態で原稿をセットして、カバーを閉じて原稿を読み取る構成となっている。このとき、カバーを閉じる直前に、画像形成装置本体側に設けられたセンサによって、プラテンガラス面上にセットされた原稿のサイズを検知している。このため、原稿のサイズを検知するタイミングを、カバーに設けたセンサによって検出している。
【０１２８】
これに対して、本願の構成においては、原稿のサイズは原稿載置トレイ６４に設けられたサイドガイドセンサ２２（図５参照）、後端センサ２６及び先端センサ２８で検知されるようになっているため、読取装置８６（従来技術のカバーに相当）を閉じるタイミングを検出する必要がない。このため、読取装置８６を閉じるタイミングを検出するためのセンサを必要としない。
【０１２９】
なお、本実施形態では、原稿載置トレイ６４にセットされたブックＰ２を読み取る記録媒体情報読取装置として、光源８８から照射された原稿からの反射光像を、縮小光学系を介して画像読取素子９８で読み取る構成の読取装置８６を用いて説明したが、図２に示すように、ＣＩＳヘッド５２でブックＰ２を読み取る構成としてもよい。
【０１３０】
また、本実施形態では、カバー７２を閉じると、記録媒体情報読取装置がシート原稿読取モードとなり、原稿載置トレイ６４上に原稿面を下向きにしてセットされたシート状の原稿の画像を、ＣＩＳヘッド７０で読み取り、カバー７２を開放すると、記録媒体情報読取装置がブック原稿読取モードとなって、原稿載置トレイ６４上に原稿面を上向きにしたブック状の原稿の画像を、読取装置８６で読み取る構成としているが、両面に画像が記録されたシート状の原稿を原稿載置トレイ６４上にセットして、この原稿の両面に記録された画像を、それぞれＣＩＳヘッド７０と読取装置８６で読み取ることもできる。
【０１３１】
さらに、一定速度で搬送（移動）しながら画像を読み取るのに適さない原稿の場合、カバー７２を閉じた状態で、原稿面を上向きにして原稿載置トレイ６４上に原稿をセットすれば、読取装置８６で原稿に記録された画像を読み取ることができる。
【０１３２】
次に、本発明の第３の実施形態に係る記録媒体情報読取装置について説明する。なお、第１の実施形態と同様の部分についての説明は割愛する。
【０１３３】
図１７に示すように、画像形成装置１５０の原稿載置面１２には、原稿載置トレイ１６が収納されたカセット１４が原稿搬送方向に沿ってスライド可能に設けられている。
【０１３４】
原稿載置面１２の上方には、原稿排出トレイ１５２が設けられている。原稿排出トレイ１５２は、下流側端部が画像形成装置１５０本体に回動可能に支持されており、原稿載置面１２に対して開閉可能とされている。
【０１３５】
カセット１４の下流側には、原稿排出トレイ１５２の下流側端部を取り囲むようにして、略Ｕ字状の搬送路１５４が設けられている。これにより、原稿載置トレイ１６にセットされた原稿は、搬送路１５４の上流側に設けられた原稿給紙ロール１５８によって一枚ずつ繰り出され、フィードロール１５７と分離ロール１５９のニップ部を介して搬送路１５４に送り込まれ、原稿排出トレイ１５２の上面に排出される構成となっている。
【０１３６】
また、原稿排出トレイ１５２内には、原稿搬送方向に沿って移動可能な状態で記録媒体情報読取装置としてのＣＩＳヘッド１５６が設けられている。
【０１３７】
ＣＩＳヘッド１５６は、シート原稿読取モード時には、図１８に示すように、原稿排出トレイ１５２の下流側端部に移動され、固定した状態でＣＩＳヘッド１５６の下方に搬送される原稿から画像を読み取るようになっている。また、ブック原稿読取モード時には、図１９（Ｂ）に示すように、ＣＩＳヘッド１５６は原稿排出トレイ１５２の略中央部に移動され、走査しながら原稿載置トレイ１６の原稿を読み取るようになっている。
【０１３８】
次に、上記構成の記録媒体情報読取装置の動作について説明する。
【０１３９】
まず、シート状の原稿Ｐ１を読み取る場合について説明する。
【０１４０】
図１８に示すように、カセット１４を下流側に押し込む。これにより、記録媒体情報読取装置はシート原稿読取モードとなり、ＣＩＳヘッド１５６が原稿排出トレイ１５２の下流側端部に移動する。
【０１４１】
そして、原稿載置トレイ１６に、先端部をカセット１４の側壁１４Ｂに当接させるようにして、シート状の原稿Ｐ１をセットする。このとき、先端センサ２８によって、原稿載置トレイ１６に原稿Ｐ１がセットされたことが検知され、サイドガイドセンサ２２及び後端センサ２６によって、原稿Ｐ１のサイズが検知される。
【０１４２】
そして、ユーザーによってスタートボタンが押されると、原稿給紙ロール１５８によって原稿が一枚ずつ繰り出され、搬送路１５４に送り込まれる。
【０１４３】
このとき、ＣＩＳヘッド１５６は、原稿排出トレイ１５２の下流側端部（搬送路１５４側）に移動されており、このＣＩＳヘッド１５６の下方に、原稿面を上向きにした状態で搬送された原稿Ｐ１の画像が、ＣＩＳヘッド１５６によって読み取られる。そして、原稿Ｐ１は搬送路１５４を搬送されて、原稿排出トレイ１５２上に排出される。
【０１４４】
次に、ブック状の原稿Ｐ２を読み取る場合について説明する。
【０１４５】
図１９（Ａ）に示すように、原稿載置トレイ１６を上流側に引き出す。これにより、記録媒体情報読取装置はブック原稿読取モードとなり、ＣＩＳヘッド１５６は原稿排出トレイ１５２の略中央部へ移動する。
【０１４６】
そして、下流側端部をカセット１４の側壁１４Ｂに当接させるようにして、原稿面を上向きにしたブックＰ２を原稿載置トレイ１６にセットすると、先端センサ２８によって、原稿載置トレイ１６に原稿Ｐ１がセットされたことが検知され、サイドガイドセンサ２２及び後端センサ２６によって、原稿Ｐ１のサイズが検知される。
【０１４７】
そして、図１９（Ｂ）に示すように、原稿排出トレイ１５２を閉じて、ＣＩＳヘッド１５６の光が出射される面を水平にする。
【０１４８】
原稿排出トレイ１５２が閉じられると、昇降装置２００、２０２によって原稿載置トレイ１６の下流側端部が上昇して、原稿載置トレイ１６が水平となり、ＣＩＳヘッド１５６が走査してブックＰ２の画像が読み取られる。
次に、本発明の第４の実施形態に係る記録媒体情報読取装置について説明する。なお、第１の実施形態及び第２の実施形態と同様の部分についての説明は割愛する。
【０１４９】
図２０に示すように、画像形成装置１６０本体の上方に設けられたカバー７２の上方には、原稿載置面６２とカバー７２を覆うようにして、読取装置１６２が開閉可能な状態で設けられている。
【０１５０】
読取装置１６２内には、原稿搬送方向に沿って移動可能な状態で記録媒体情報読取装置としてのＣＩＳヘッド１６４が設けられている。
【０１５１】
ＣＩＳヘッド１６４は、シート原稿読取モード時には、図２１（Ｂ）に示すように、読取装置１６２の下流側端部（カバー７２側）に移動され、固定された状態で搬送路８０を搬送されてＣＩＳヘッド７０で表面の画像が読み取られた原稿の裏面の画像を読み取るようになっている。
【０１５２】
また、ブック原稿読取モード時には、図２２（Ｂ）に示すように、ＣＩＳヘッド１６４は読取装置１６２の略中央部（原稿載置面６２側）に移動され、原稿載置トレイ１６上の原稿を走査して読み取るようになっている。
【０１５３】
次に、上記構成の記録媒体情報読取装置の動作について説明する。
【０１５４】
まず、シート状の原稿Ｐ１を読み取る場合について説明する。
【０１５５】
図２１（Ａ）に示すように、カバー７２と読取装置１６２を開放させた状態で、原稿載置トレイ１６上に原稿Ｐ１をセットする。そして、図２１（Ｂ）に示すように、カバー７２と読取装置１６２を閉じる。カバー７２を閉じることによって、シート原稿読取モードとなり、ＣＩＳヘッド１６４が読取装置１６２の下流側端部（カバー７２側）に移動する。
【０１５６】
カバー７２が閉じられると、原稿載置トレイ１６の下流側端部が上昇して、原稿Ｐ１の先端（下流側端部）が原稿給紙ロール４２に当接する。
【０１５７】
そして、ユーザーによってスタートボタンが押されると、原稿給紙ロール８２によって原稿が一枚ずつ繰り出され、搬送路８０に送り込まれ、ＣＩＳヘッド７０の下方に搬送された原稿Ｐ１の一方の面（表面）の画像がＣＩＳヘッド７０で読み取られる。
【０１５８】
この原稿は、さらに搬送路８０を搬送され、読取装置１６２に設けられたＣＩＳヘッド１６４で、他方の面（裏面）の画像が読み取られ、カバー７２の排出トレイ７６に排出される。
【０１５９】
次に、ブック状の原稿Ｐ２を読み取る場合について説明する。
【０１６０】
図２２（Ａ）に示すように、カバー７２と読取装置１６２を開放させた状態で、原稿載置トレイ１６上にブック状の原稿Ｐ２を原稿面を上向きにしてセットする。
【０１６１】
そして、図２２（Ｂ）に示すように、カバー７２は開放したままの状態にし、読取装置１６２を閉じる。カバー７２が開放されていることによって、ブック原稿読取モードとなり、ＣＩＳヘッド１６４が読取装置１６２の略中央部（原稿載置面６２側）に移動する。
【０１６２】
読取装置１６２が閉じられると、原稿載置トレイ１６が水平となり、原稿載置トレイ１６にセットされたブックＰ２は、所定の圧力で原稿載置トレイ１６と透明ガラス１６１の間に挟まれて、ＣＩＳヘッド１６４によって、ブックＰ２の画像が読み取られる。
【０１６３】
このように、シート状の原稿の他方の面の画像を読み取るＣＩＳヘッド１６４で、ブック状の原稿を原稿面を上向きにした状態で画像を読み取ることができる。
【０１６４】
次に、本発明の第５の実施形態に係る記録媒体情報読取装置について説明する。なお、第１の実施形態と同様の部分についての説明は割愛する。
【０１６５】
図２３（Ａ）に示すように、画像形成装置１０本体の原稿載置面１２には、原稿載置トレイ１６が収納されたカセット１４が設けられている。
【０１６６】
原稿載置面１２の上方には、下流側端部が画像形成装置１０本体に回動可能に支持されて、原稿載置面１２に対して開閉可能とされた原稿排出トレイ１７２が設けられている。
【０１６７】
原稿排出トレイ１７２の上面には、原稿載置トレイ１７６が収納された原稿収容部１７４が設けられている。原稿載置トレイ１７６の下流側端部には、先端センサ１７８が設けられており、この先端センサ１７８によって原稿の先端（下流側端部）が検出されると、原稿載置トレイ１７６に原稿がセットされたことが検知されるようになっている。
【０１６８】
また、原稿載置トレイ１７６の上流側近傍には、後端センサ１８０が設けられており、原稿載置トレイ１７６にセットされた原稿の後端（上流側端部）位置と、原稿載置トレイ１７６の幅方向の両端部に設けられたサイドガイド１９４の位置から、原稿載置トレイ１７６にセットされた原稿のサイズが検知されるようになっている。
【０１６９】
原稿収容部１７４の下流側上方には、原稿載置トレイ１７６にセットされた原稿を給紙する原稿給紙ロール１８８が設けられており、原稿給紙ロール１８８の下流側にはフィードロール１９６と分離ロール１９５が設けられている。
【０１７０】
フィードロール１９６と分離ロール１９５のニップ部からカセット１４にかけて、略Ｕ字状の搬送路１８２が設けられており、この搬送路１８２には複数の搬送ロール１９８が設けられている。
【０１７１】
また、搬送路１８２には、光が出射される面を下向きにした状態で、記録媒体情報読取装置としてのＣＩＳヘッド１８４が設けられている。
【０１７２】
このような構成により、原稿面を下向きにして原稿載置トレイ１７６にセットされた原稿が、原稿給紙ロール１８８によって一枚ずつ繰り出され、搬送路１８２に送り込まれる。そして、原稿面を上向きにした状態でＣＩＳヘッド１８４の下方を搬送されながら、ＣＩＳヘッド１８４で画像が読み取られて、カセット１４に排出されるようになっている。
【０１７３】
一方、原稿排出トレイ１７２の下面（カセット１４が設けられた側と反対側の面）には、箱状のカバー１９０が取り付けられており、カバー１９０内には記録媒体情報読取装置としてのＣＩＳヘッド１８６が配設されている。このＣＩＳヘッド１８６によって、カセット１４の原稿載置トレイ１６にセットされた原稿が、透明ガラス１９２を介して読み取られるようになっている。
【０１７４】
次に、上記構成の記録媒体情報読取装置の動作について説明する。
【０１７５】
まず、シート状の原稿Ｐ１を読み取る場合について説明する。
【０１７６】
図２３（Ａ）に示すように、原稿排出トレイ１７２を開放させた状態で、原稿面を下向きにして、原稿載置トレイ１７６にシート状の原稿Ｐ１をセットする。
【０１７７】
そして、操作画面５４（図１参照）でシート原稿読取モードを選択し、スタートボタンを押すと、原稿給紙ロール１８８によって原稿が一枚ずつ繰り出され、搬送路１８２に送り込まれる。
【０１７８】
搬送路１８２に送り込まれた原稿Ｐ１は、原稿面を上向きにした状態でＣＩＳヘッド１８４の下方を搬送され、ＣＩＳヘッド１８４によって画像が読み取られて、カセット１４の原稿載置トレイ１６に排出される。
【０１７９】
次に、ブック状の原稿Ｐ２を読み取る場合について説明する。
【０１８０】
図２３（Ａ）に示すように、原稿面を上向きにして、カセット１４の原稿載置トレイ１６にブックＰ２をセットする。
【０１８１】
そして、原稿排出トレイ１７２が閉じられると、原稿載置トレイ１６が水平となり、原稿載置トレイ１６にセットされたブックＰ２は、所定の圧力で原稿載置トレイ１６と透明ガラス１９２の間に挟まれる。
【０１８２】
そして、操作画面５４（図１参照）でブック原稿読取モードを選択し、スタートボタンを押すと、ＣＩＳヘッド１８６が原稿搬送方向に沿って走査して、原稿載置トレイ１６にセットされたブックＰ２の画像が読み取られる。
【０１８３】
なお、本実施形態では、原稿排出トレイ１７２に設けられたＣＩＳヘッド１８６を走査して、原稿載置トレイ１６にセットされたブックＰ２を読み取る構成としたが、図１４に示すように、光源８８から照射された原稿からの反射光像を、縮小光学系を介して画像読取素子９８で読み取る構成の読取装置８６を用いて、ブックＰ２を読み取る構成としてもよい。
【図面の簡単な説明】
【０１８４】
【図１】本発明の第１の実施形態に係る画像読取装置の斜視図である。
【図２】第１の実施形態に係る画像読取装置の概略図である。
【図３】第１の実施形態に係る画像読取装置に搭載される原稿載置トレイと、原稿載置トレイを昇降させる昇降機構を示す斜視図である。
【図４】第１の実施形態に係る画像読取装置に搭載される原稿収納部と、この原稿収納部に収納される原稿載置トレイと、原稿載置トレイを昇降させる昇降機構を示す側面図である。
【図５】第１の実施形態に係る画像読取装置に搭載される原稿載置トレイの斜視図である。
【図６】第１の実施形態に係る画像読取装置に搭載される原稿載置トレイと、この原稿載置トレイに設けられたサイドガイドを示す分解斜視図である。
【図７】第１の実施形態に係る画像読取装置に搭載された原稿載置トレイの側面断面図であり、（Ａ）は通常時のサイドガイドの状態を示す図であり、（Ｂ）はサイドガイドが退避した状態を示す図である。
【図８】第１の実施形態に係る画像読取装置に搭載されるＣＩＳヘッドと、このＣＩＳヘッドを移動させる移動機構を示す斜視図である。
【図９】第１の実施形態に係る画像読取装置のシート原稿読取モード時の概略図であり、（Ａ）は原稿載置トレイにシート状の原稿をセットした状態を示す図であり、（Ｂ）は原稿載置トレイを上昇させて原稿を原稿給紙ロールに当接させて、搬送路に送り込む状態を示す図である。
【図１０】第１の実施形態に係る画像読取装置のブック原稿読取モード時の概略図であり、（Ａ）はブック状の原稿をセットする前の状態を示す図であり、（Ｂ）は原稿載置トレイに原稿をセットした状態を示す図である。
【図１１】第１の実施形態に係る画像読取装置のブック原稿読取モード時の概略図であり、（Ａ）は原稿排出トレイを閉じた状態を示す図であり、（Ｂ）は原稿載置トレイを上昇させて原稿排出トレイに押し付けた原稿を読み取る状態を示す図である。
【図１２】第１の実施形態に係る画像読取装置のブック原稿読取モード時の概略図であり、（Ａ）はページをめくるために原稿排出トレイを開放した状態を示す図であり、（Ｂ）は再び原稿排出トレイを閉じて次のページを読み取る状態を示す図である。
【図１３】第１の実施形態に係る画像読取装置にシート原稿をセットした状態を示す斜視図である。
【図１４】第２の実施形態に係る画像読取装置の概略図である。
【図１５】第２の実施形態に係る画像読取装置のシート原稿読取モード時の概略図であり、（Ａ）は原稿載置トレイにシート状の原稿をセットした状態を示す図であり、（Ｂ）はカバーと読取部を閉じて原稿を搬送路に送り込む状態を示す図である。
【図１６】第２の実施形態に係る画像読取装置のブック原稿読取モード時の概略図であり、（Ａ）はブック状の原稿をセットした状態を示す図であり、（Ｂ）は読取部を閉じて原稿を読み取る状態を示す図である。
【図１７】第３の実施形態に係る画像読取装置の概略図である。
【図１８】第３の実施形態に係る画像読取装置のシート原稿読取モード時の概略図である。
【図１９】第２の実施形態に係る画像読取装置のブック原稿読取モード時の概略図であり、（Ａ）はブック状の原稿をセットした状態を示す図であり、（Ｂ）は読取部を閉じて原稿を読み取る状態を示す図である。
【図２０】第４の実施形態に係る画像読取装置の概略図である。
【図２１】第４の実施形態に係る画像読取装置のシート原稿読取モード時の概略図であり、（Ａ）は原稿載置トレイにシート状の原稿をセットした状態を示す図であり、（Ｂ）はカバーと読取部を閉じて原稿を搬送路に送り込む状態を示す図である。
【図２２】第４の実施形態に係る画像読取装置のブック原稿読取モード時の概略図であり、（Ａ）はブック状の原稿をセットした状態を示す図であり、（Ｂ）は読取部を閉じて原稿を読み取る状態を示す図である。
【図２３】第５の実施形態に係る画像読取装置の概略図であり、（Ａ）はシート状の原稿を読み取る状態を示す図であり、（Ｂ）はブック状の原稿を読み取る状態を示す図である。
【符号の説明】
【０１８５】
１０  画像形成装置
１６  原稿載置トレイ（置き部）
２２  サイドガイドセンサ（検知部材）
２６  後端センサ（検知部材）
３６  原稿排出トレイ（排出部）
４８  ＣＩＳヘッド（移動媒体情報読取手段）
５２  ＣＩＳヘッド（静止媒体情報読取手段）
６４  原稿載置トレイ（置き部）
６５  後端センサ（検知部材）
７０  ＣＩＳヘッド（移動媒体情報読取手段）
８６  読取装置（静止媒体情報読取手段）
１７６  原稿載置トレイ（置き部）
１８０  後端センサ（検知部材）
１８４  ＣＩＳヘッド（移動媒体情報読取手段）
１８６  ＣＩＳヘッド（移動媒体情報読取手段）
【図１】
2008172529.tif 000003
【図２】
2008172529.tif 000004
【図３】
2008172529.tif 000005
【図４】
2008172529.tif 000006
【図５】
2008172529.tif 000007
【図６】
2008172529.tif 000008
【図７】
2008172529.tif 000009
【図８】
2008172529.tif 000010
【図９】
2008172529.tif 000011
【図１０】
2008172529.tif 000012
【図１１】
2008172529.tif 000013
【図１２】
2008172529.tif 000014
【図１３】
2008172529.tif 000015
【図１４】
2008172529.tif 000016
【図１５】
2008172529.tif 000017
【図１６】
2008172529.tif 000018
【図１７】
2008172529.tif 000019
【図１８】
2008172529.tif 000020
【図１９】
2008172529.tif 000021
【図２０】
2008172529.tif 000022
【図２１】
2008172529.tif 000023
【図２２】
2008172529.tif 000024
【図２３】
2008172529.tif 000025
【手続補正書】
【提出日】平成19年4月12日(2007.4.12)
【手続補正１】
【補正対象書類名】明細書
【補正対象項目名】０００３
【補正方法】変更
【補正の内容】
【０００３】
プラテンガラスに対して開閉可能とされた開閉部材に読取部を設けることで、原稿面を上向きにしてセットしたブック原稿の画像が読み取れる原稿読取装置が提案されている（特許文献１参照）。
【特許文献１】特開平０６−７８１０８号公報
【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
記録媒体を置く置き部と、
該置き部から送り出され一定速度で移動する前記記録媒体の第１の面に記録された情報を読み取る移動媒体情報読取手段と、
前記置き部の上方に配置され、前記移動記録媒体情報読取手段で情報が読み取られた前記記録媒体が排出される排出部と、
該排出部の前記置き部に面した側に設けられ、前記置き部に静止した前記記録媒体の第２の面に記録された情報を読み取る静止媒体情報読取手段と、
を有し、
前記静止媒体情報読取手段を設けた前記排出部は、前記置き部に対して移動可能に構成され、
前記静止媒体情報読取手段で第２の面に記録された情報を読み取った後、前記移動媒体情報読取手段で第１の面に記録された情報を読み取ることを特徴とする、記録媒体情報読取装置。
【請求項２】
前記置き部は、装置本体に対して昇降可能に構成されてなることを特徴とする、請求項１記載の記録媒体情報読取装置。
【請求項３】
請求項１又は２記載の記録媒体情報読取装置を有し、
前記静止媒体情報読取手段は、製本された記録媒体束を見開きの状態で読み取り可能に構成されてなることを特徴とする、画像読取装置。
【請求項４】
請求項１又は２記載の記録媒体情報読取装置を有し、該記録媒体情報読取装置で読み取った記録媒体情報に基いて画像形成を行なう、画像形成装置。
【手続補正２】
【補正対象書類名】明細書
【補正対象項目名】０００５
【補正方法】変更
【補正の内容】
【０００５】
請求項１に記載の記録媒体情報読取装置は、記録媒体を置く置き部と、該置き部から送り出され一定速度で移動する前記記録媒体の第１の面に記録された情報を読み取る移動媒体情報読取手段と、前記置き部の上方に配置され、前記移動記録媒体情報読取手段で情報が読み取られた前記記録媒体が排出される排出部と、該排出部の前記置き部に面した側に設けられ、前記置き部に静止した前記記録媒体の第２の面に記録された情報を読み取る静止媒体情報読取手段と、を有し、前記静止媒体情報読取手段を設けた前記排出部は、前記置き部に対して移動可能に構成され、前記静止媒体情報読取手段で第２の面に記録された情報を読み取った後、前記移動媒体情報読取手段で第１の面に記録された情報を読み取ることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
請求項３に記載の発明は、請求項１又は２記載の記録媒体情報読取装置を有し、前記静止媒体情報読取手段は、製本された用紙束を見開きの状態で読み取り可能に構成されてなることを特徴とする、画像読取装置である。
【手続補正１１】
【補正対象書類名】明細書
【補正対象項目名】００１５
【補正方法】変更
【補正の内容】
【００１５】
請求項４に記載の発明は、請求項１又は２記載の記録媒体情報読取装置を有し、該記録媒体情報読取装置で読み取った記録媒体情報に基いて画像形成を行なう、画像形成装置である。
【手続補正１２】
【補正対象書類名】明細書
【補正対象項目名】００１６
【補正方法】変更
【補正の内容】
【００１６】
請求項１に記載の発明によれば、記録媒体の両面に記録された情報を読み取ることが出来ると同時に、排出部を置き部に対して近づければ、置き部に載置された記録媒体を、静止媒体情報読取手段で読み取ることができ、排出部を置き部に対して離せば、置き部から搬送された記録媒体を移動媒体情報読取手段で読み取ることができる構成となっている。また、静止媒体情報読取手段によって、一定速度で移動させながら情報を読み取るのに適さない記録媒体の情報を読み取ることが出来る。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】変更
【補正の内容】
【００２５】
請求項３に記載の発明によれば、静止媒体情報読取手段によって、本を上向きに開いた状態で読み取ることができる。
【手続補正２１】
【補正対象書類名】明細書
【補正対象項目名】００２６
【補正方法】変更
【補正の内容】
【００２６】
請求項４に記載の発明によれば、記録媒体の両面に記録された情報に基いた画像が得られると同時に、静止媒体情報読取手段によって、一定速度で移動させながら情報を読み取るのに適さない記録媒体の情報に基いた画像を得ることが出来る画像形成装置を提供することが出来る。
【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
記録媒体を置く置き部と、
該置き部から送り出され一定速度で移動する前記記録媒体の第１の面に記録された情報を読み取る移動媒体情報読取手段と、
前記置き部の上方に配置され、前記移動媒体情報読取手段で情報が読み取られた前記記録媒体が排出される排出部と、
該排出部の前記置き部に面した側に設けられ、前記置き部に静止した前記記録媒体の第２の面に記録された情報を読み取る静止媒体情報読取手段と、
を有し、
前記排出部は、前記置き部に対して開閉可能に構成され、
前記静止媒体情報読取手段で第２の面に記録された情報を読み取った後、前記移動媒体情報読取手段で第１の面に記録された情報を読み取ることを特徴とする、記録媒体情報読取装置。
【請求項２】
前記置き部は、装置本体に対して昇降可能に構成されてなることを特徴とする、請求項１記載の記録媒体情報読取装置。
【請求項３】
記録媒体を置く置き部と、
前記置き部から送り出され、一定速度で移動する記録媒体の一方の面に記録された情報を読み取る移動媒体情報読取手段と、
前記置き部の上方に配置され、前記移動媒体情報読取手段で情報が読み取られた記録媒体が排出される排出部と、
前記排出部の前記置き部に面した側に設けられた静止媒体情報読取手段と、
前記置き部に見開きの状態でセットされた製本された記録媒体に記録された情報を、前記静止媒体情報読取手段で読み取りができる位置に該置き部を移動させる昇降装置と、
を有することを特徴とする画像読取装置。
【手続補正３】
【補正対象書類名】明細書
【補正対象項目名】０００１
【補正方法】変更
【補正の内容】
【０００１】
本発明は、記録媒体情報読取装置及び画像読取装置に関する。
【手続補正４】
【補正対象書類名】明細書
【補正対象項目名】０００５
【補正方法】変更
【補正の内容】
【０００５】
請求項１に記載の記録媒体情報読取装置は、記録媒体を置く置き部と、該置き部から送り出され一定速度で移動する前記記録媒体の第１の面に記録された情報を読み取る移動媒体情報読取手段と、前記置き部の上方に配置され、前記移動媒体情報読取手段で情報が読み取られた前記記録媒体が排出される排出部と、該排出部の前記置き部に面した側に設けられ、前記置き部に静止した前記記録媒体の第２の面に記録された情報を読み取る静止媒体情報読取手段と、を有し、前記排出部は、前記置き部に対して開閉可能に構成され、前記静止媒体情報読取手段で第２の面に記録された情報を読み取った後、前記移動媒体情報読取手段で第１の面に記録された情報を読み取ることを特徴とする。
【手続補正５】
【補正対象書類名】明細書
【補正対象項目名】００１４
【補正方法】変更
【補正の内容】
【００１４】
請求項３に記載の発明は、記録媒体を置く置き部と、前記置き部から送り出され、一定速度で移動する記録媒体の一方の面に記録された情報を読み取る移動媒体情報読取手段と、前記置き部の上方に配置され、前記移動媒体情報読取手段で情報が読み取られた記録媒体が排出される排出部と、前記排出部の前記置き部に面した側に設けられた静止媒体情報読取手段と、前記置き部に見開きの状態でセットされた製本された記録媒体に記録された情報を、前記静止媒体情報読取手段で読み取りができる位置に該置き部を移動させる昇降装置と、を有することを特徴とする。
【手続補正６】
【補正対象書類名】明細書
【補正対象項目名】００１５
【補正方法】削除
【補正の内容】
【手続補正７】
【補正対象書類名】明細書
【補正対象項目名】００２６
【補正方法】削除
【補正の内容】